【事件の表示】
　特願２００２−　４０３１７「カラオケ装置」拒絶査定不服審判事件〔平成１４年１０月２５日出願公開、特開２００２−３１１９７０〕について、次のとおり審決する。
【結　論】
　本件審判の請求は、成り立たない。
【理　由】
１．手続の経緯・本願発明
　本願は、平成９年４月３０日に出願した特願平９−１１２４７２号の一部を平成１４年２月１８日に新たな特許出願としたものであって、特許請求の範囲の請求項１に係る発明（以下、「本願発明」という。）は、平成１８年６月１２日の手続補正書により補正された明細書及び図面の記載からみて、その特許請求の範囲の請求項１に記載された以下のとおりのものと認める。
　
「【請求項１】
　カラオケ曲を演奏するための楽曲データを記憶した記憶手段と、
　楽曲データに基づいてカラオケ曲を演奏する演奏手段と、
　カラオケ曲の歌唱者を撮影するカメラと、
　前記カメラが撮影した映像信号を記録媒体に記録する記録手段と、
　利用者の操作に応じて、前記演奏手段でカラオケ曲を演奏する通常モードの動作、または、前記演奏手段によるカラオケ曲の演奏と連動して前記記録手段で歌唱者の映像信号を記録する録画モードの動作を実行する制御手段と、
　前記通常モード時には、演奏されているカラオケ曲に応じた背景映像をモニタに出力し、前記録画モード時には、前記カメラが撮影して記録中の映像信号を前記背景映像に代えてモニタに出力する映像制御手段と、
　を備えたカラオケ装置。」
　
２．引用例
　原査定の拒絶の理由に引用された、実願昭５９−１５８５５７号（実開昭６１−７３２００号）の願書に添付した明細書及び図面の内容を撮影したマイクロフィルム（昭和６１年５月１７日特許庁発行。以下「引用例」という。）には図面とともに以下の事項が記載されている。
　
　ア　「本考案は、映像を併用したカラオケ装置に関する。」（２頁１行〜２行）
　イ　「本考案は、歌詞の映像とそれの背景となる映像とを別々に受像機に入力することで、背景映像を任意に選択可能にすることを目的とする。
　本考案の装置は第１図に示すように、伴奏音楽とその歌詞を映像として再生する音楽再生装置１と前記歌詞の背景映像の出力装置２と、音楽再生装置１から出力された歌詞の映像を、背景映像出力装置２から出力された背景映像に重ねるためのミクサー３およびミクサー３から入力された信号に基づいて前記歌詞の映像を背景映像に重ねて表示する受像機４から構成されている。」（２頁１０行〜２０行）
　ウ　「本考案の装置を第２図の実施例について説明すると、これは音楽再生装置１として８トラックのテープデッキを使用した例で、再生装置１が出力した伴奏音楽の電気信号と歌詞の映像信号とがオーディオビジュアル５に入力され、その出力信号がミクサー３に入力される。一方背景映像出力装置２としてのビデオディスクプレーヤー２Ａとビデオカメラ２Ｂとがスイッチなどからなる回路の切換装置６を介して並列に接続され、ビデオディスクプレーヤー２Ａとビデオカメラ２Ｂの内のいずれか一方の出力信号がミクサー３に入力される。７はビデオディスクプレーヤー２Ａとビデオカメラ２Ｂのいずれか一方からオーディオビジュアル５に入力される同期信号で、この信号で再生装置１の出力を背景映像出力装置２の出力に同期させてミクサー３に入力し、ミクサー３の出力が受像機４に映像として表示される。」（４頁２０行〜５頁１６行）
　エ　「したがって、歌う人が例えばビデオディスクプレーヤー２Ａの方に切換装置６を切換えた場合は、音楽再生装置１の曲を選択し、かつビデオディスクプレーヤー２Ａの映像を選択すれば、伴奏音楽がスピーカー８から流れ、かつ受像機４に選択した映像が表示される、とともに、歌詞が映像として表示される。
　切換装置６でビデオカメラ２Ｂを選択すれば、そのカメラで撮影した画像が受像機４に背景映像として表示される。」（５頁２０行〜６頁９行）
　オ　「この例では、２種の出力装置を切換装置６で選択して使用するようにしているから、歌っている本人を背景映像として使用可能で、背景映像の選択の巾をより広げることが可能で、映像を楽しみながら好みの歌を歌うことができる。」（６頁１０行〜１４行）
　
　これらの記載及び図面第２図によれば、引用例には、
　「８トラックのテープデッキを使用し、伴奏音楽とその歌詞を映像として再生する音楽再生装置１と、
　背景映像出力装置２としての、歌う人を撮影するテレビカメラ２Ｂ及びビデオディスクプレーヤー２Ａと、
　切換装置６を介して並列に接続されたビデオカメラ２Ｂとビデオディスクプレーヤー２Ａの内のいずれか一方の出力信号を背景映像として入力し、音楽再生装置１から出力された歌詞の映像を背景映像に重ねて受像機４に出力するミクサー３を備え、
　歌う人がビデオディスクプレーヤー２Ａの方に切換装置６を切換えて、ビデオディスクプレーヤー２Ａの映像を選択すれば、伴奏音楽がスピーカー８から流れ、かつ受像機４に選択した映像が表示されるとともに歌詞が映像として表示され、
　切換装置６でビデオカメラ２Ｂを選択すれば、そのカメラで撮影した歌っている本人の画像が受像機４に背景映像として表示される、
　カラオケ装置。」
の発明（以下、「引用発明」という。）が記載されていると認められる。
　
３．対比
　本願発明と引用発明とを対比する。
（１）引用発明は、本願発明と同様に、「カラオケ装置」に係る発明である。
（２）引用発明の「８トラックのテープデッキを使用し、伴奏音楽とその歌詞を映像として再生する音楽再生装置１」が、明示されていない８トラックのテープを伴奏音楽の記憶手段として用いることは自明であり、前記テープに記録された伴奏音楽を再生するものであるから、「８トラックのテープ」及び「音楽再生装置１」は、それぞれ本願発明の「カラオケ曲を演奏するための楽曲データを記憶した記憶手段」及び「楽曲データに基づいてカラオケ曲を演奏する演奏手段」に相当する。
（３）引用発明の「歌う人」、すなわち「歌唱者」を撮影する「テレビカメラ２Ｂ」は、本願発明の「カラオケ曲の歌唱者を撮影するカメラ」に相当する。
（４）引用発明は、歌う人の操作に応じて、伴奏音楽がスピーカー８から流れ、かつビデオディスクプレーヤー２Ａの映像をミクサー３を介して受像機４に背景映像として表示する態様と、伴奏音楽がスピーカー８から流れ、かつカメラ２Ｂで撮影した歌っている本人の画像を、ビデオディスクプレーヤー２Ａの映像に代えて、受像機４に表示する態様とを切換装置６により切り換えるものであり、ここで、引用発明の「歌う人」は、「歌唱者」であるとともに、本願発明の「利用者」に相当し、また「受像機４」及び「ビデオディスクプレーヤー２Ａの映像」は、本願発明の「モニタ」及び「背景映像」にそれぞれ相当するから、前者の態様は、「演奏手段でカラオケ曲を演奏」し、「演奏されているカラオケ曲の背景映像をモニタに出力」する点で、本願発明の「通常モード」と共通し、また、後者の態様は、「演奏手段でカラオケ曲を演奏」するとともに「カメラで歌唱者を撮影」し、「カメラが撮影する映像信号を前記背景映像に代えてモニタに出力」する点で、本願発明の「録画モード」と共通する。（以下、背景映像をモニタに出力する態様を「第１のモード」と、また、カメラで撮影する映像信号をモニタに出力する態様を「第２のモード」という。）
　そして、引用発明の「切換装置６」は、「利用者」である「歌う人」が操作し、前記各態様のいずれか一方を選択し、選択された態様の動作を実行させる手段であり、また、「ミクサー３」は、前記選択された態様の映像を背景映像として受像機４に出力する手段であるから、それぞれ本願発明の「制御手段」及び「映像制御手段」に対応する。
　したがって、両者は、「利用者の操作に応じて、前記演奏手段でカラオケ曲を演奏する第１のモードの動作、または、前記演奏手段によるカラオケ曲を演奏するとともにカメラで歌唱者を撮影する第２のモードの動作を実行する制御手段と、前記第１のモード時には、演奏されているカラオケ曲の背景映像をモニタに出力し、前記第２のモード時には、前記カメラが撮影する映像信号を前記背景映像に代えてモニタに出力する映像制御手段」を備える点で一致するといえる。
　
　以上を踏まえると、本願発明と引用発明とは、以下の点で一致ないし相違する。
　【一致点】
「カラオケ曲を演奏するための楽曲データを記憶した記憶手段と、
　楽曲データに基づいてカラオケ曲を演奏する演奏手段と、
　カラオケ曲の歌唱者を撮影するカメラと、
　利用者の操作に応じて、前記演奏手段でカラオケ曲を演奏する第１のモードの動作、または、前記演奏手段によるカラオケ曲を演奏するとともにカメラで歌唱者を撮影する第２のモードの動作を実行する制御手段と、前記第１のモード時には、演奏されているカラオケ曲の背景映像をモニタに出力し、前記第２のモード時には、前記カメラが撮影する映像信号を前記背景映像に代えてモニタに出力する映像制御手段と、
　を備えたカラオケ装置。」
　
　【相違点１】
　第１のモードにおける「背景映像」が、本願発明は、「演奏されているカラオケ曲に応じた背景映像」であるのに対し、引用発明は、「ビデオディスクプレーヤー２Ａの映像」であり、カラオケ曲に応じた映像であることは特定されていない点。
　
　【相違点２】
　本願発明は、「カメラが撮影した映像信号を記録媒体に記録する記録手段」を備え、「第２のモード」が「カラオケ曲の演奏と連動して記録手段で歌唱者の映像信号を記録する録画モード」であり、「カメラが撮影して記録中の映像信号」をモニタに出力するのに対し、引用発明は、「記録手段」を備えておらず、「第２のモード」が「カラオケ曲を演奏するとともにカメラで歌唱者を撮影する」モードであり、モニタに出力する「カメラが撮影する映像信号」は、「記録中」の映像信号ではない点、すなわち、引用発明は、カメラが撮影する映像信号を記録する構成を備えていない点。
　
４．判断
（１）相違点１について
　カラオケ装置において、カラオケ曲の演奏中に、演奏されているカラオケ曲に応じた背景映像をモニタに出力することは、一般的なカラオケ装置における常套手段であり、引用発明における「ビデオディスクプレーヤー２Ａの映像」を、演奏されているカラオケ曲に応じた映像とすることは、当業者が適宜なし得る設計事項である。
　したがって、相違点１は格別のことではない。
　
（２）相違点２について
　カラオケ曲を演奏するとともにカメラで歌唱者を撮影し、カメラが撮影した映像信号をモニタに出力する構成を備えたカラオケ装置において、カメラが撮影した映像信号を記録媒体に記録する記録手段を備え、カラオケ曲の演奏と連動して記録手段で歌唱者の映像信号を記録するとともに、カメラが撮影して記録中の映像信号をモニタに出力する技術は、例えば、特開平５−２３６４２３号公報、特開平４−２３８１５８号公報、特開平９−３４４８１号公報に記載されているように、周知技術である。
　
　上記特開平５−２３６４２３号公報には、図面とともに以下の記載がある。
「【産業上の利用分野】本発明は、カラオケ装置に関し、特に、歌唱者の姿をカラオケプレーヤーからの映像と合成して録画できる録画機能を備えたカラオケ装置に関する。」（段落０００１）
「【課題を解決するための手段】上述の目的を達成するために、本発明の録画機能を備えたカラオケ装置は、カラオケプレーヤーと、スピーカと、マイクと、カメラと、ライトと、各種の操作を行うための操作ボタン等を有する操作部と、前記カラオケプレーヤーの出力信号の有無を判定する信号判定部と、前記カラオケプレーヤーから出力された映像信号と前記カメラから出力された映像信号とを合成処理する画像処理部と、この画像処理部で処理された映像信号とカラオケプレーヤー及びマイクからの音声信号を各々録画、録音する録画装置と、前記画像処理部で処理された映像信号を映し出すモニター装置と、前記操作部からの出力及び前記カラオケプレーヤーからの出力を受けて前記録画装置に制御信号を出力する制御部とを備えたものである。」（段落０００４）
「【作用】操作部のスタートボタンが押されると、ライトが点灯するとともに録画装置が録画ポーズモードとなり、ここでカラオケプレーヤーから音声信号及び映像信号が出力されると、前記録画装置の録画ポーズモードが解除されて録画モードとなり、録画が開始される。カラオケプレーヤーからの出力信号が停止すると、録画が停止される一方、ライトが消灯される。そして、録画装置が巻き戻し設定されていれば、テープの巻き戻しを行い、これが設定されていなければそのままの状態で停止し、次の録画動作に備える。」（段落０００６）
　
　　上記特開平４−２３８１５８号公報には、図面とともに以下の記載がある。
「【産業上の利用分野】本発明は、カラオケ装置、ビデオデッキ装置、及び、特殊効果装置に接続して使用する制御装置に関する。
【従来の技術】レ−ザディスク（ＬＤ）等の記憶手段から読み出されるカラオケの音声及び画像と、歌い手の音声及び画像とを合成し、これを、出力装置（ディスプレイ，スピ−カ）から出力するとともに、ビデオテ−プへ記録するシステムとして、例えば、図１４に示すシステムが提供されている。
図１４のシステムは、カラオケ装置５Ａ、及び、ビデオカメラ装置５Ｂからの信号を装置８　へ入力し、これを、該装置８　内の特殊効果装置６　’にて合成した後、出力装置７Ａへ送信して音声及び画像として出力するととともに、上記装置８　内のビデオデッキ装置７Ｂ’へ送信して、該ビデオデッキ装置７Ｂ’にセットされているビデオテ−プ上へ録画させる装置である。」（段落０００１〜０００３）
「【課題を解決するための手段】本発明は、請求項１に記載のように、ビデオデッキ装置にビデオテ−プがセットされたことを検出するためのデッキ装置側検出手段と、カラオケ装置の作動開始を検出するためのカラオケ装置側検出手段と、ビデオテ−プのセットが検出されると録画待機モ−ドを設定するモ−ド管理手段と、録画待機モ−ドの設定下でカラオケ装置の作動開始が検出されると特殊効果装置を作動させるとともにビデオデッキ装置を録画モ−ドで作動させる制御手段とを有し、カラオケ装置、ビデオデッキ装置、及び、特殊効果装置に接続して使用される制御装置である。」（段落０００９）
「【作用】ビデオデッキ装置にビデオテ−プがセットされると、録画待機モ−ドが設定される。また、録画待機モ−ドの設定下でカラオケ装置の作動が開始されると、特殊効果装置が作動され、且つ、ビデオデッキ装置に録画モ−ドが設定される。これにより、カラオケ装置及びビデオカメラ装置から特殊効果装置へ送信される信号は、該特殊効果装置に於いて、設定されたパタ−ンで合成された後、出力装置（ディスプレイ，スピ−カ）、及び、ビデオデッキ装置へ送信される。ビデオデッキ装置は、上述の如く録画モ−ドに設定されている。このため、特殊効果装置から入力される合成後の信号は、ビデオテ−プに録画される。」（段落００１２）
　
　　上記特開平９−３４４８１号公報（平成９年２月７日発行）には、図面とともに以下の記載がある。
「【発明の属する技術分野】この発明は、例えば、カラオケ機の再生音声と歌い手の音声とを混合した混合音声と、歌い手の画像とを記録する録画再生装置に関する。」（段落０００１）
「【課題を解決するための手段】この発明は、画像と音声を再生する再生装置と、画像と音声を記録する記録装置とを一体とした録画再生装置において、再生装置の画像出力と記録装置の画像入力の間に画像出力および外部入力からの画像信号の一方を選択的に記録装置の画像入力に供給するための画像選択手段と、再生装置の音声出力と外部入力からの音声信号とを混合する音声混合手段と、再生装置の音声出力と記録装置の音声入力の間に音声出力および音声混合手段からの音声信号の一方を選択的に記録装置の音声入力に供給するための音声選択手段とを有するようにしたことを特徴とする録画再生装置である。画像音声再生装置と画像音声記録／再生装置とを一体とした２重デッキビデオカセットレコーダの構成とされている。そして、画像音声再生装置からの再生画像信号出力が画像切り換え手段を介して画像音声記録／再生装置に接続される。また、画像音声記録／再生装置には、外部からの入力画像信号が画像切り換え手段を介して接続される。さらに、画像音声記録／再生装置には、再生音声信号出力と入力音声信号とを混合する混合手段が接続されることを特徴とし、画像音声再生装置の再生／停止に伴って、制御線を介して画像音声記録／再生装置が録画／停止を行なう。」（段落０００７）
　
　したがって、引用発明において、前記周知技術を付加し、カメラが撮影した映像信号を記録媒体に記録する記録手段を設け、カラオケ曲の演奏と連動して記録手段で歌唱者の映像信号を記録するとともに、カメラが撮影して記録中の映像信号をモニタに出力する構成とすることは、当業者であれば容易に想到し得ることである。
　
　そして、本願発明の奏する作用効果は、引用発明及び周知技術の奏する作用効果から予測される範囲内のものにすぎず、格別顕著なものということはできない。
　
　したがって、本願発明は、引用発明及び周知技術に基づいて、当業者が容易に発明をすることができたものである。
　
５．むすび
　以上のとおり、本願発明は、引用例に記載された発明及び周知技術に基づいて、当業者が容易に発明をすることができたものであり、特許法２９条２項の規定により特許を受けることができないから、本願は、他の請求項について検討するまでもなく、拒絶すべきものである。
　よって、結論のとおり審決する。